【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
複数の記録素子と、シリアル形式で入力された記録データに従って前記記録素子を駆動する記録ヘッドの素子基体であって、
前記記録素子の数に対応した記録データをシリアル形式で受信するシフトレジスタと、
前記シフトレジスタに入力された記録データを保持するラッチと、
前記ラッチに保持された記録データと駆動期間を表す信号とに応じて各記録素子を選択的に駆動する駆動回路と、を備えており、
前記ラッチの保持状態を制御する信号として、前記駆動期間を表す信号を用いる記録ヘッドの素子基体。
【請求項２】
前記駆動期間を表す信号はパルス信号であり、前記駆動回路は当該パルス信号のレベルに応じて前記記録素子を駆動し、前記ラッチは前記パルス信号のエッジに応じて前記記録データを保持する請求項１に記載の記録ヘッドの素子基体。
【請求項３】
前記ラッチと前記駆動回路とに入力される前記駆動期間を表す信号のタイミングを異ならせるべく、前記駆動期間を表す信号を遅延させる遅延手段を更に備える請求項１又は２に記載の記録ヘッドの素子基体。
【請求項４】
前記駆動期間を表す信号は、少なくとも２つのパルス信号を含む請求項１から３のいずれか１項に記載の記録ヘッドの素子基体。
【請求項５】
前記少なくとも２つのパルス信号を単一のパルス信号に変換する信号変換回路を更に備え、該信号変換回路によって変換されたパルス信号が、前記ラッチの保持状態を制御する信号として用いられる請求項４に記載の記録ヘッドの素子基体。
【請求項６】
前記信号変換回路のリセット信号として、前記シフトレジスタに記録データが入力されるタイミングを規定するクロック信号が使用される請求項５に記載の記録ヘッドの素子基体。
【請求項７】
複数の記録素子を有し、シリアル形式で入力された記録データに従って前記記録素子を駆動して記録を行う記録ヘッドであって、
前記記録素子の数に対応した記録データをシリアル形式で受信するシフトレジスタと、
前記シフトレジスタに入力された記録データを保持するラッチと、
前記ラッチに保持された記録データと駆動期間を表す信号とに応じて各記録素子を選択的に駆動する駆動回路と、を備えており、
前記ラッチの保持状態を制御する信号として、前記駆動期間を表す信号を用いる記録ヘッド。
【請求項８】
前記記録ヘッドは、インクを吐出して記録を行うインクジェット記録ヘッドである請求項７に記載の記録ヘッド。
【請求項９】
前記記録ヘッドは、熱エネルギーを利用してインクを吐出する記録ヘッドであって、インクに与える熱エネルギーを発生するための熱エネルギー変換体を備えている請求項７に記載の記録ヘッド。
【請求項１０】
請求項７から９のいずれか１項に記載の記録ヘッドと、この記録ヘッドに供給するインクを保持するためのインクタンクとを有する記録ヘッドカートリッジ。
【請求項１１】
請求項７から９のいずれか１項に記載の記録ヘッドを用いて記録を行う記録装置。
【請求項１２】
複数の記録素子と、前記記録素子の数に対応した記録データをシリアル形式で受信するシフトレジスタと、前記シフトレジスタに入力された記録データを保持するラッチと、前記ラッチに保持された記録データと駆動期間を表す信号とに応じて各記録素子を選択的に駆動する駆動回路と、を備えた記録ヘッドの制御方法であって、
前記駆動期間を表す信号によって前記ラッチの保持状態を制御する記録ヘッドの制御方法。
【請求項１３】
前記ラッチが前記記録データを保持するタイミングを、前記シフトレジスタが前記記録データを受信するタイミングと異ならせるように、前記駆動期間を表す信号のタイミングを制御する請求項１２に記載の記録ヘッドの制御方法。
【手続補正２】
【補正対象書類名】明細書
【補正対象項目名】発明の名称
【補正方法】変更
【補正の内容】
【発明の名称】記録ヘッドの素子基体、記録ヘッド及び記録ヘッドの制御方法
【手続補正３】
【補正対象書類名】明細書
【補正対象項目名】０００１
【補正方法】変更
【補正の内容】
【０００１】
本発明は記録ヘッドの素子基体、記録ヘッド及び記録ヘッドの制御方法に関し、より詳細には、複数の記録素子を有し、シリアル形式で入力された記録データに従って前記記録素子を駆動する記録ヘッドの素子基体、記録ヘッド及び記録ヘッドの制御方法に関する。
【手続補正４】
【補正対象書類名】明細書
【補正対象項目名】００１５
【補正方法】変更
【補正の内容】
【００１５】
上記目的を達成するために、本発明の一態様としての記録ヘッドの素子基体は、複数の記録素子と、シリアル形式で入力された記録データに従って前記記録素子を駆動する記録ヘッドの素子基体であって、
前記記録素子の数に対応した記録データをシリアル形式で受信するシフトレジスタと、  前記シフトレジスタに入力された記録データを保持するラッチと、
前記ラッチに保持された記録データと駆動期間を表す信号とに応じて各記録素子を選択的に駆動する駆動回路と、を備えており、
前記ラッチの保持状態を制御する信号として、前記駆動期間を表す信号を用いる。
さらに上記目的を達成するために、本発明の一態様としての記録ヘッドは、複数の記録素子を有し、シリアル形式で入力された記録データに従って前記記録素子を駆動して記録を行う記録ヘッドであって、
前記記録素子の数に対応した記録データをシリアル形式で受信するシフトレジスタと、
前記シフトレジスタに入力された記録データを保持するラッチと、
前記ラッチに保持された記録データと駆動期間を表す信号とに応じて各記録素子を選択的に駆動する駆動回路と、を備えており、
前記ラッチの保持状態を制御する信号として、前記駆動期間を表す信号を用いる。
【手続補正５】
【補正対象書類名】明細書
【補正対象項目名】００６３
【補正方法】変更
【補正の内容】
【００６３】
図４の（ａ）に４０１で示したＨＥ＋ＬＴ信号のプレパルスは、ラッチ回路１０６のトリガの役目も果たすため、印加のタイミングが特に重要となる。ラッチ回路１０６のトリガは、シフトレジスタ１０３にＤＡＴＡ４０２が完全に入力された後であって、次のＤＡＴＡ４０２’がシフトレジスタ１０３に入力されるよりも前のタイミングで印加する必要がある。すなわち、プレパルス４０１の印加タイミングは、直前のＤＡＴＡ転送４０２とその後のＤＡＴＡ転送４０２’との間にあり、両方のＤＡＴＡ転送期間との間にもある程度の時間間隔を設ける必要がある。
【手続補正６】
【補正対象書類名】明細書
【補正対象項目名】００６５
【補正方法】変更
【補正の内容】
【００６５】
次に、ラッチ回路１０６にＨＥ＋ＬＴ信号によるトリガがかかるまでの状態を、図４の（ｂ）を参照して説明する。ＤＡＴＡによる記録データの転送４０２が終わって充分な時間が経過した後、Ｔ−フリップフロップ３０４にはＨＥ＋ＬＴ信号を反転した信号４０３が入力される。Ｔ−フリップフロップ３０４は入力信号の立上がりで出力信号を反転させる働きがあるため、信号４０３は信号４０４のように変換され、ラッチ回路１０６に入力される。ラッチ回路１０６には、信号４０４の立上り４０５でトリガがかかるので、結果的にＨＥ＋ＬＴ信号のプレパルスの立下りと同じタイミングでトリガがかかることとなる。このトリガによりシフトレジスタ１０３に格納されている記録データ４０２がラッチ回路１０６に保持されるように確定された後、ＡＮＤ回路３０３には遅延回路３０２を通ったヒートイネーブル信号が遅れて入力される。
【手続補正７】
【補正対象書類名】明細書
【補正対象項目名】００７１
【補正方法】変更
【補正の内容】
【００７１】
（変形例）
図４の（ａ）に関して説明したように、ＨＥ＋ＬＴ信号のプレパルス４０１およびメインパルスの立下り４０６のタイミングは、ＤＡＴＡ信号４０２と４０２’との間とする必要があるが、ＤＡＴＡ４０２とプレパルス４０１の間、メインパルスの立下り４０６とＤＡＴＡ４０２’の開始タイミングの両方の間隔が、各部の動作が安定するのに充分な時間だけ確保できれば、図３に示したＴ−フリップフロップ３０４などの信号変換回路を用いなくてもよい。
【手続補正８】
【補正対象書類名】図面
【補正対象項目名】図４
【補正方法】変更
【補正の内容】
【図４】
2005161682.tif 000001